(57)【要約】【課題】短期間でランプを冷却する投写型表示装置の提供を目的とする。【解決手段】本発明の投写型表示装置は、ランプ１１と、ランプ１１を通る第１風路を形成してランプ１１を空冷する第１吸排気手段と、ランプ１１の消灯から所定の期間のみランプ１１を通る第２風路を形成してランプ１１を空冷する第２吸排気手段と、を備え、第１吸排気手段は、第１風路への空気の導入口である第１吸気口と、ランプを冷却した後の空気の第１風路からの排出口である第１排気口と、を備え、前記第２吸排気手段は、前記第２風路への空気の導入口である第２吸気口と、前記ランプを冷却した後の空気の前記第２風路からの排出口である第２排気口と、を備える投写型表示装置。【選択図】図２
2010256675.tif 000002
【特許請求の範囲】
【請求項１】
ランプと、
前記ランプを通る第１風路を形成し、前記第１風路への空気の導入口である第１吸気口と、前記ランプを冷却した後の空気の前記第１風路からの排出口である第１排気口と、を備える第１吸排気手段と、
前記ランプの消灯から所定の期間のみ前記ランプを通る第２風路を形成し、前記第２風路への空気の導入口である第２吸気口と、前記ランプを冷却した後の空気の前記第２風路からの排出口である第２排気口と、を備える第２吸排気手段と、を備えた投写型表示装置。
【請求項２】
前記第１吸排気手段は、
前記第１吸気口を通して前記第１風路へ空気を流入させる第１吸気ファンと、
前記第１排気口を通して前記第１風路から空気を排出させる第１排気ファンのいずれか、又は両方をさらに備え、
前記第２吸排気手段は、
前記第２吸気口を通して前記第２風路へ空気を流入させる第２吸気ファンと、
前記第２排気口を通して前記第２風路から空気を排出させる第２排気ファンのいずれか、又は両方をさらに備えることを特徴とする、請求項１に記載の投写型表示装置。
【請求項３】
前記第２吸気口及び前記第２排気口は、前記第１吸気口及び前記第１排気口よりも、前記ランプの近くに設けられていることを特徴とする、請求項１又は２に記載の投写型表示装置。
【請求項４】
前記第２吸排気手段は、前記第２吸気口と前記第２排気口を開閉する開閉手段をさらに備えることを特徴とする、請求項１〜３のいずれかに記載の投写型表示装置。
【請求項５】
前記開閉手段は、モータによって駆動することを特徴とする、請求項４に記載の投写型表示装置。
【請求項６】
前記第１吸排気手段と前記第２吸排気手段を制御する制御手段をさらに備え、
前記制御手段は、
前記モータを駆動するモータ駆動回路と、
前記第１吸気ファン及び前記第１排気ファンを駆動する第１ファン駆動回路と、
前記第２吸気ファン及び前記第２排気ファンを駆動する第２ファン駆動回路と、
通常時及び前記消灯から所定の期間に、前記第１吸気ファン及び前記第１排気ファンが駆動するように前記第１ファン駆動回路を制御し、
前記消灯から所定の期間のみ、前記第２吸気ファン及び前記第２排気ファンが駆動するように前記第２ファン駆動回路を制御し、
前記第２吸気口及び前記第２排気口を前記消灯時に開け、前記消灯から所定の期間経過後に閉じるように前記モータ駆動回路を制御する処理装置と、を備えることを特徴とする、請求項５に記載の投写型表示装置。
【発明の詳細な説明】
【技術分野】
【０００１】
この発明は、投写型表示装置の冷却制御に関する。
【背景技術】
【０００２】
投写型表示装置において、ランプとして放電ランプが用いられる場合、放電状態を保つための最適な温度範囲が決まっているため、温度を一定に保たなければならない。一般的にランプの最適な温度は数百℃の高温である。点灯時に温度が高すぎると、過負荷がかかりランプの寿命が短くなってしまうため、点灯時には空冷ファンによる冷却が行われる。
【０００３】
使用者が誤って消灯操作（電源ＯＦＦ）をしてしまった場合、直ちに再点灯（電源ＯＮ）の操作をすることが考えられるため、通常動作により高温になっているランプ１１を消灯した後も、使用時と同様に空冷ファンで一定時間空冷するのが通例である。しかし、ランプを十分に冷却するには一定の時間を要するため、使用者が求める即時の再点灯は出来ず、使用者に不便を強いる結果となっている。
【０００４】
上記問題点の改善策として、例えば特許文献１には、消灯後に吸気ファン及び排気ファンの回転速度を上げることにより、冷却時間を短縮する方法が開示されている。
【先行技術文献】
【特許文献】
【０００５】
【特許文献１】特開２００５−１５６７５０号公報
【発明の概要】
【発明が解決しようとする課題】
【０００６】
特許文献１の方法によってランプの冷却時間は短縮されるが、使用者が求める即時の再点灯をするには未だ不十分である。
【０００７】
そこで本発明は、短期間でランプを冷却する投写型表示装置の提供を目的とする。
【課題を解決するための手段】
【０００８】
本発明の投写型表示装置は、ランプと、ランプを通る第１風路を形成し、第１風路への空気の導入口である第１吸気口と、ランプを冷却した後の空気の第１風路からの排出口である第１排気口と、を備える第１吸排気手段と、ランプの消灯から所定の期間のみランプを通る第２風路を形成し、第２風路への空気の導入口である第２吸気口と、ランプを冷却した後の空気の第２風路からの排出口である第２排気口と、を備える第２吸排気手段と、を備える。
【発明の効果】
【０００９】
本発明の投写型表示装置は、ランプの消灯から所定の期間のみランプを通る第２風路を形成する第２吸排気手段を備え、第２吸排気手段は、第２風路への空気の導入口である第２吸気口と、ランプを冷却した後の空気の第２風路からの排出口である第２排気口と、を備える。ランプの消灯から所定の期間は第１風路に加えて第２風路によってもランプを冷却することにより、ランプの冷却期間を短縮することが可能となる。
【図面の簡単な説明】
【００１０】
【図１】本発明の前提となる投写型表示装置の構成図である。
【図２】実施の形態１の投写型表示装置の構成図である。
【図３】実施の形態１の投写型表示装置の可動部位の構成図である。
【図４】実施の形態１の投写型表示装置の構成を示すブロック図である。
【発明を実施するための形態】
【００１１】
（実施の形態１）
＜前提技術＞
図１は、本発明の前提技術となる投写型表示装置のランプ冷却構造の一例を示す概略図である。投写型表示装置は、ランプ１１と、通常時吸気ファン４１と、通常時排気ファンと、カラーホイール４３と、投写レンズ４４と、反射鏡４６と、を備えている。
【００１２】
ランプ１１の放電によって放出した光はカラーホイール４３を通過して反射鏡４６に反射し、投写レンズ４４から投写光４５となって出力する。
【００１３】
通常時吸気ファン４１と通常時排気ファン４２は、ランプ１１の温度を最適に保つための空冷機構である。通常時吸気ファン４１は冷却空気をランプ１１に送り、ランプ１１を通過した空気は廃却空気として通常時排気ファン４２が外部に排出する。しかし、この構成では十分な冷却能力が得られない。
【００１４】
これに対し、冷却能力を向上させた本実施の形態に係る投写型表示装置について、図２〜図４により以下に詳述する。
【００１５】
＜構成＞
図２は、実施の形態１に係る投写型表示装置が備えるランプの冷却構造の構成図である。投写型表示装置は、光源であるランプ１１と、ランプ１１を冷却する第１風路を形成する第１吸排気手段として、第１吸気口１２及び第１排気口１３と、通常時吸気ファン４１と、通常時排気ファン４２を備える。
【００１６】
通常時吸気ファン４１と通常時排気ファン４２はランプ１１の点灯中とランプの消灯後所定の期間に動作する空冷ファンである。通常時吸気ファン４１は冷却空気を第１風路へ流入させ、通常時排気ファン４２は、ランプ１１を通過して熱せられた空気を廃却空気として第１風路から排出する。ただし、通常時吸気ファン４１と通常時排気ファン４２のうちどちらか一方のみを備えていても良い。
【００１７】
さらに、実施の形態１の投写型表示装置は、ランプ１１の消灯後所定の期間にランプ１１を冷却する第２風路を形成する第２吸排気手段として、第２吸気口１６及び第２排気口１７と、消灯時吸気ファン１９と、消灯時排気ファン２０と、可動部位１４，１５を備える。なお、第１風路や第２風路は仕切り１８によって構成される。
【００１８】
消灯時吸気ファン１９と消灯時排気ファン２０は第２吸気口１６と第２排気口１７にそれぞれ設けられ、ランプ１１の消灯後所定の期間に駆動してランプ１１を空冷する。消灯時吸気ファン１９は第２吸気口１６を通して第２風路に冷却空気を流入させ、消灯時排気ファン２０は第２排気口１７を通して第２風路からランプ１１によって熱せられた廃却空気を排出する。ただし、消灯時吸気ファン１９と消灯時排気ファン２０のうちどちらか一方のみを設けていても良い。
【００１９】
すなわち、実施の形態１の投写型表示装置は、ランプ１１と、ランプ１１を通る第１風路を形成してランプ１１を空冷する第１吸排気手段と、ランプ１１の消灯から所定の期間のみランプ１１を通る第２風路を形成してランプ１１を空冷する第２吸排気手段と、を備えた投写型表示装置であって、第１吸排気手段は、第１風路への空気の導入口である第１吸気口１２と、ランプ１１を冷却した後の空気の第１風路からの排出口である第１排気口１３と、を備え、第２吸排気手段は、第２風路への空気の導入口である第２吸気口１６と、ランプ１１を冷却した後の空気の第２風路からの排出口である第２排気口１７と、を備える。ランプ１１の消灯から所定の期間は第１風路に加えて第２風路によってもランプ１１を冷却することにより、ランプ１１の冷却期間を短縮することが可能となる。
【００２０】
又、第１吸排気手段は、第１吸気口１２を通して第１風路へ空気を流入させる第１吸気ファン（通常時吸気ファン４１）と、第１排気口１３を通して第１風路から空気を排出させる第１排気ファン（通常時排気ファン４２）のいずれか、又は両方をさらに備え、第２吸排気手段は、第２吸気口１６を通して第２風路へ空気を流入させる第２吸気ファン（消灯時吸気ファン１９）と、第２排気口１６を通して第２風路から空気を排出させる第２排気ファン（消灯時排気ファン２０）のいずれか、又は両方をさらに備えることを特徴とする。ランプの消灯から所定の期間は第１風路に加えて、消灯時吸気ファン１９と消灯時排気ファン２０を用いて第２風路によってもランプ１１を冷却することにより、ランプ１１の冷却期間を短縮することが可能となる。
【００２１】
第２吸気口１６と第２排気口１７は、第１吸気口１２や第１排気口１３に比べてランプ１１の近くに設けることが出来る。通常、吸気口や排気口から光が漏れると光効率が低下して投写型表示装置の使用に支障が生じるため、これらをランプ１１の近くに設けることは出来ないが、第２吸気口１６と第２排気口１７は、ランプ１１の点灯時には閉まっているため、ランプ１１の近くに設けても支障はない。
【００２２】
但し、第２吸気口１６、第２排気口１７、消灯時専用吸気ファン１９、消灯時専用排気ファン２０の設置場所はランプ１１の近くに限定されるわけではなく、ランプ１１を冷却する冷却空気の単位時間当たりの総量を通常時よりも増加させる限りにおいていずれの場所に設けても良い。
【００２３】
可動部位１４，１５は、第２吸気口１６と第２排気口１７にそれぞれ取り付けられた開閉手段である。構成は図３にて後述するが、ランプ１１の消灯時所定の期間にのみ第２吸気口１６と第２排気口１７を開放することにより、第２風路を形成する。
【００２４】
すなわち、実施の形態１の投写型表示装置において、第２吸排気手段は、第２吸気口１６と第２排気口１７を開閉する開閉手段（可動部位１４，１５）を備えることを特徴とする。ランプ１１消灯後の所定期間にのみ第２吸気口１６と第２排気口１７を開けることにより、ランプ１１の冷却空気の単位時間当たりの総量を増加させ、ランプ１１の冷却期間を短縮できる。
【００２５】
図３は、可動部位１４，１５の構成を示す。図３の左側が可動部位１４、右側が可動部位１５である。中の図は扉の平面図、下の図は扉の側面図である。可動部位１４，１５は同一の構成であるため、それぞれ同一の構成要素には同一の番号を付しており、以下では可動部位１４の構成についてのみ説明する。
【００２６】
可動部位１４は、モータ１、モータ側ギヤ２、扉側ギヤ３、可動扉４、直流電源５、ポテンショメータ６、電圧計７を備えている。
【００２７】
モータ側ギヤ２はモータ１の回転に伴って回転するギヤである。扉側ギヤ３はモータ側ギヤ２の回転に伴ってスライドするギヤである。可動扉４は扉側ギヤ３のスライドによって開閉する扉である。ポテンショメータ６は、可動扉４の位置を測定する。電圧計７はポテンショメータに接続されて可動扉４の位置と連動した電圧を測定する。
【００２８】
すなわち、開閉手段（可動部位１４，１５）は、モータ１によって駆動することを特徴とする。これにより、モータ１により第２吸気口１６と第２排気口１７を開閉し、第２風路の形成を制御できる。
【００２９】
なお、可動部位１４，１５の形状や開閉方法は図３で開示した内容に限らず、他の形状や開閉方法でも良い。また、可動扉４の開閉具合の確認方法は、上記に示した直流電源５、ポテンショメータ６、電圧計７の構成に限らず、他の確認方法でも良い。
【００３０】
又、上記説明では消灯時専用吸気ファン１９と消灯時専用排気ファン２０の両方を設けることとしたが、いずれか一方のみを設置した場合でも冷却空気の単位時間当たりの総量が増えるため、冷却時間の短縮効果が得られる。
【００３１】
又、開閉可能な吸気口と排気口の組は第２吸気口１６と第２排気口１７の一組だけ設けることとしたが、これに限らず、消灯時に開く吸気口と排気口の組を複数設けることによって、さらに冷却空気の単位時間当たりの総量を増やし、冷却時間の短縮効果を図っても良い。
【００３２】
＜動作＞
次に、実施の形態１に係る投写型表示装置の動作を説明する。図２に沿って投写型表示装置の冷却機構の動作を説明する。ランプ１１の点灯時には、第１吸気口１２と第１排気口１３とで形成される第１風路によってランプ１１を冷却する。具体的に言えば、通常時吸気ファン４１によって冷却空気が第１吸気口１２を通ってランプ１１に流入する。ランプ１１は冷却空気によって冷却され、逆に冷却空気はランプ１１によって温められて廃却空気となる。廃却空気は通常時排気ファン４２によって第１排気口１３を通り第１風路から排出される。
【００３３】
ランプ１１が消灯すると、第１風路による上記冷却が行われることに加えて、可動部位１４，１５が動いて第２吸気口１６と第２排気口１７が開放され、ランプ１１を冷却する第２風路が形成される。それと同時に、消灯時吸気ファン１９と消灯時排気ファン２０が駆動し、冷却空気をランプ１１に送り込む。冷却空気はランプ１１にて温められ廃却空気となり、廃却空気は消灯時排気ファン２０によって第２風路から排出される。これにより、通常時よりもランプ１１の冷却空気の単位時間当たりの総量が増加するため、短時間でランプ１１を冷却することが可能になる。
【００３４】
ランプ１１が十分に冷却されると、消灯時吸気ファン１９、消灯時排気ファン２０は停止し、可動部位１４，１５は可動扉４を閉じて第２風路を封鎖する。
【００３５】
次に、図３に沿って、可動部位１４，１５の動作を説明する。モータ１が駆動するとモータ側ギヤ２が回転し、モータ側ギヤ２の回転に伴ってこれに噛合した扉側ギヤ３がスライドし、扉側ギヤ３のスライドによってこれに噛合した可動扉４が開く。
【００３６】
可動扉４の開閉具合は、ポテンショメータ６を介して電圧計７が測定する電圧によって確認される。これによって、ランプ１１の消灯時から十分にランプ１１が冷却されるまでの間のみ、可動部位１４，１５の可動扉４を開けて、ランプ１１を冷却する第２風路を形成することが可能となる。
【００３７】
＜モータ１、消灯時ファンの制御方法＞
次に、第１吸排気手段としての通常時吸気ファン４１及び通常時排気ファン４２と、第２吸排気手段としての消灯時吸気ファン１９及び消灯時排気ファン２０及び可動部位１４，１５の制御の方法の一例を図４に沿って説明する。
【００３８】
図４は、上記制御を行う制御手段の構成の一例を示すブロック図である。制御手段は、表示装置操作手段２１、マイコン２２、モータ駆動回路２３、ＡＤ変換器２４、消灯時ファン駆動回路２５、通常時ファン駆動回路２６を備えている。
【００３９】
マイコン２２は、ランプ１１の点灯中に通常時ファン駆動回路に通常時ファン制御信号を送り、通常時吸気ファン４１を通常時排気ファン４２を駆動させている。これにより、ランプ１１の点灯中には第１の風路によってランプ１１の冷却が行われる。
【００４０】
表示装置操作手段２１は、例えば投写型表示装置の操作キーボタンであるとすると、使用者が行う操作によってランプ１１を消灯させる消灯指示信号がマイコン２２に送られる。消灯指示信号を受信したマイコン２２は、モータ駆動回路２３に対し、可動扉４が開く方向にモータ１が動作するようモータ制御信号を送る。モータ駆動回路２３はモータ１にモータ駆動電力を送ってモータ１を駆動させる。これにより可動扉４が開き始める。
【００４１】
可動扉４の開閉具合は、電圧計７で測定される電圧値から把握する。電圧値はＡＤ変換器２４で電圧値信号に変換され、マイコン２２に入力される。電圧値信号によりマイコン２２は可動扉４の位置を求め、可動扉４が開ききったことを確認したらモータ制御信号の送信を停止する。これによりモータ１への駆動電力が停止し、モータ１が停止し、可動扉４が停止する。こうして、第２吸気口１９と第２排気口２０は開放され、第１の風路に加えて第２の風路が形成される。
【００４２】
可動扉４が開ききった後、マイコン２２は消灯時ファン駆動回路２５に消灯時ファン制御信号を送る。消灯時ファン制御信号を受けた消灯時ファン駆動回路２５は、消灯時吸気ファン１９と消灯時排気ファン２０に消灯時ファン駆動電力を送って、消灯時吸気ファン１９と消灯時排気ファン２０を駆動する。
【００４３】
消灯時吸気ファン１９と消灯時排気ファン２０の駆動開始から一定時間が経過した後、マイコン２２は消灯時ファン駆動回路２５に消灯時ファン制御信号を送り、これを受けて消灯時ファン駆動回路２５は消灯時吸気ファン１９と消灯時排気ファン２０への消灯時ファン駆動電力を停止する。これにより、消灯時吸気ファン１９と消灯時排気ファン２０の駆動が停止する。同時に、マイコン２２は通常時ファン駆動回路２６に対しても通常時吸気ファン４１及び通常時排気ファン４２の駆動を停止するように通常時ファン制御信号を送る。
【００４４】
消灯時吸気ファン１９と消灯時排気ファン２０の駆動が停止した後、マイコン２２はモータ駆動回路２３に対し、可動扉４が閉じる方向にモータ１が動作するようモータ制御信号を送る。モータ駆動回路２３はモータ制御信号を受けてモータ１にモータ駆動電力を送る。これにより、モータ１が駆動して可動扉４が閉じ始める。
【００４５】
マイコン２２はＡＤ変換器２４からの電圧値信号によって可動扉４の位置を求め、可動扉４が閉まりきったことを確認するとモータ制御信号を停止する。モータ駆動回路２３はモータ１へのモータ駆動電力を停止し、モータ１は停止する。
【００４６】
以上の制御によって、ランプ１１の点灯時には第１風路が形成されて、通常時吸気ファン４１と通常時排気ファン４２によりランプ１１を冷却する。そして、ランプ１１の消灯からランプ１１が冷却するまでの所定期間には、第１風路に加えて第２風路を形成し、消灯時吸気ファン１９及び消灯時排気ファン２０によってもランプ１１を冷却することが出来る。
【００４７】
すなわち、実施の形態１の投写型表示装置は、第１吸排気手段と第２吸排気手段を制御する制御手段をさらに備え、制御手段は、モータ１を駆動するモータ駆動回路２３と、第１吸気ファン（通常時吸気ファン４１）及び第１排気ファン（通常時排気ファン４２）を駆動する第１ファン駆動回路（通常時ファン駆動回路２６）と、第２吸気ファン（消灯時吸気ファン１９）及び第２排気ファン（消灯時排気ファン２０）を駆動する第２ファン駆動回路（消灯時ファン駆動回路２５）と、通常時及び消灯から所定の期間に、通常時吸気ファン４１及び通常時排気ファン４２が駆動するように通常時ファン駆動回路２６を制御し、消灯から所定の期間のみ、消灯時吸気ファン１９及び消灯時排気ファン２０が駆動するように消灯時ファン駆動回路２５を制御し、消灯時吸気口１６及び消灯時排気口１７を消灯時に開け、消灯から所定の期間経過後に閉じるようにモータ駆動回路２３を制御する処理装置（マイコン）２２と、を備えることを特徴とする。これにより、電子回路によって消灯から所定の期間のみ第２風路を形成する制御を行う事が出来る。
【００４８】
なお、モータ１と、消灯時吸気ファン１９、消灯時排気ファン２０の制御方法は上述の方法には限らず、同様の効果が得られる方法であれば良い。
【００４９】
＜効果＞
実施の形態１の投写型表示装置によれば、既に述べたように以下の効果を奏する。すなわち、実施の形態１の投写型表示装置は、ランプ１１と、ランプ１１を通る第１風路を形成してランプ１１を空冷する第１吸排気手段と、ランプ１１の消灯から所定の期間のみランプ１１を通る第２風路を形成してランプ１１を空冷する第２吸排気手段と、を備えた投写型表示装置であって、第１吸排気手段は、第１風路への空気の導入口である第１吸気口１２と、ランプ１１を冷却した後の空気の第１風路からの排出口である第１排気口１３と、を備え、第２吸排気手段は、第２風路への空気の導入口である第２吸気口１６と、ランプ１１を冷却した後の空気の第２風路からの排出口である第２排気口１７と、を備える。ランプ１１の消灯から所定の期間は第１風路に加えて第２風路によってもランプ１１を冷却することにより、ランプ１１の冷却期間を短縮することが可能となる。
【００５０】
又、第１吸排気手段は、第１吸気口１２を通して第１風路へ空気を流入させる第１吸気ファン（通常時吸気ファン４１）と、第１排気口１３を通して第１風路から空気を排出させる第１排気ファン（通常時排気ファン４２）のいずれか、又は両方をさらに備え、第２吸排気手段は、第２吸気口１６を通して第２風路へ空気を流入させる第２吸気ファン（消灯時吸気ファン１９）と、第２排気口１６を通して第２風路から空気を排出させる第２排気ファン（消灯時排気ファン２０）のいずれか、又は両方をさらに備えることを特徴とする。ランプの消灯から所定の期間は第１風路に加えて、消灯時吸気ファン１９と消灯時排気ファン２０を用いて第２風路によってもランプ１１を冷却することにより、ランプ１１の冷却期間を短縮することが可能となる。
【００５１】
又、第２吸気口１６及び第２排気口１７は、第１吸気口１２及び第１排気口１３よりも、ランプ１１の近くに設けられていることを特徴とする。これにより、冷却機能を高めることが出来る。
【００５２】
又、第２吸排気手段は、第２吸気口１６と第２排気口１７を開閉する開閉手段（可動部位１４，１５）を備えることを特徴とする。ランプ１１消灯後の所定期間にのみ第２吸気口１６と第２排気口１７を開けることにより、ランプ１１の冷却空気の単位時間当たりの総量を増加させ、ランプ１１の冷却期間を短縮できる。
【００５３】
又、開閉手段（可動部位１４，１５）は、モータ１によって駆動することを特徴とする。これにより、モータ１により第２吸気口１６と第２排気口１７を開閉し、第２風路の形成を制御できる。
【００５４】
又、実施の形態１の投写型表示装置は、第１吸排気手段と第２吸排気手段を制御する制御手段をさらに備え、制御手段は、モータ１を駆動するモータ駆動回路２３と、第１吸気ファン（通常時吸気ファン４１）及び第１排気ファン（通常時排気ファン４２）を駆動する第１ファン駆動回路（通常時ファン駆動回路２６）と、第２吸気ファン（消灯時吸気ファン１９）及び第２排気ファン（消灯時排気ファン２０）を駆動する第２ファン駆動回路（消灯時ファン駆動回路２５）と、通常時及び消灯から所定の期間に、通常時吸気ファン４１及び通常時排気ファン４２が駆動するように通常時ファン駆動回路２６を制御し、消灯から所定の期間のみ、消灯時吸気ファン１９及び消灯時排気ファン２０が駆動するように消灯時ファン駆動回路２５を制御し、消灯時吸気口１６及び消灯時排気口１７を消灯時に開け、消灯から所定の期間経過後に閉じるようにモータ駆動回路２３を制御する処理装置（マイコン）２２と、を備えることを特徴とする。これにより、電子回路によって消灯から所定の期間のみ第２風路を形成する制御を行う事が出来る。
【符号の説明】
【００５５】
１  モータ、２  モータ側ギヤ、３  扉側ギヤ、４  可動扉、５  直流電源、６  ポテンショメータ、７  電圧計、１１  ランプ、１２  第１吸気口、１３  第１排気口、１４，１５  可動部位、１６  第２吸気口、１７  第２排気口、１９  消灯時吸気ファン、２０  消灯時排気ファン、２１  表示装置操作手段、２２  マイコン、２３  モータ駆動回路、２４  ＡＤ変換器、２５  消灯時ファン駆動回路、２６  通常時ファン駆動回路、４１  通常時吸気ファン、４２  通常時排気ファン、４３  カラーホイール、４４  投写レンズ。
【図１】
2010256675.tif 000003
【図２】
2010256675.tif 000004
【図３】
2010256675.tif 000005
【図４】
2010256675.tif 000006